(57)【要約】      （修正有）【課題】毛髪の乾燥とスパイラル成形を同時に行うことができるスパイラルヘアのスタイリング作業が容易な回転型毛髪成形装置を提供する。【解決手段】長く形成されて一端に毛髪の上部に接触する髪押え部１１と、他端にはヒンジ部１２、１３が形成されている上部ケース１０と、毛髪が収められる上方の開口している巻き取り空間部２１が形成されている下部ケース２０と、前記下部ケース２０の内周面の間に棒状の加熱部材３０と、前記下部ケース２０に内蔵されるように設けられる駆動モーターＭと、前記駆動モーターＭの駆動歯車に連結されて前記加熱部材を軸として前記加熱空間部で正逆方向に旋回し、前記上・下部ケース１０、２０が閉じる動作によって前記巻き取り空間部２１と前記髪押え部１１との間に把持される毛髪の中間部から端部までスパイラル状に巻き付けて前記加熱部材３０の表面に密着させて加熱する巻き取り部材５０と、を含む。【選択図】図８
2015085168.tif 000002
【特許請求の範囲】
【請求項１】
長く形成されて一端に毛髪の上部に接触する髪押え部が形成されており、他端にはヒンジ部が形成されている上部ケースと、
前記上部ケースのヒンジ部とヒンジ結合されて回動可能であり、一端に前記髪押え部と対応する位置に毛髪が収められる上方の開口している巻き取り空間部が形成されている下部ケースと、
前記下部ケースの内周面の間に毛髪を巻き付けて加熱する加熱空間部を形成するように前記巻き取り空間部内に水平に位置するように取り付けられる棒状の加熱部材と、
前記加熱部材と同一線上で前記下部ケースに内蔵されるように設けられる駆動モーターと、
前記駆動モーターの駆動歯車に連結されて前記加熱部材を軸として前記加熱空間部で正逆方向に旋回し、前記上・下部ケースが閉じる動作によって前記巻き取り空間部と前記髪押え部との間に把持される毛髪の中間部から端部までスパイラル状に巻き付けて前記加熱部材の表面に密着させて加熱する巻き取り部材と、を含むことを特徴とするスパイラルヘアのスタイリング作業が容易な回転型毛髪成形装置。
【請求項２】
前記加熱部材の外周面と間隔を維持しながら前記下部ケースの巻き取り空間部に設けられ、前記巻き取り部材によって前記加熱部材にスパイラル状に巻き付けられる毛髪の外側面を加熱するように内側面が湾曲して形成された補助加熱部材をさらに含むことを特徴とする請求項１に記載のスパイラルヘアのスタイリング作業が容易な回転型毛髪成形装置。
【請求項３】
前記上部ケースの髪押え部の両側には、前記上・下部ケースが前記ヒンジ部を中心に回転して閉じた時に形成される毛髪通過溝をさらに含むことを特徴とする請求項１に記載のスパイラルヘアのスタイリング作業が容易な回転型毛髪成形装置。
【請求項４】
前記巻き取り部材は、
前記駆動モーターの駆動歯車に連結されて正逆方向に回転する回転リングと、
前記回転リングの周縁部から直角方向に延びて形成され、加熱部材の外面の一部を取り囲む幅を有し、内周面が湾曲するように形成された巻き取り機とを含んでなり、
前記巻き取り機の両端部には、毛髪を集めてスパイラル状に巻き付けて回転させる凹溝部が形成されており、前記凹溝部の外側端部には、円周方向に沿って湾曲するように下向きに突出形成され、前記巻き取り空間部に収められた毛髪の中間部を係止して前記凹溝部側に集めてスパイラル状に巻いてコイル状に成形させる係止部を含むことを特徴とする請求項１に記載のスパイラルヘアのスタイリング作業が容易な回転型毛髪成形装置。
【請求項５】
前記巻き取り部材は、前記回転リングの中央に形成された貫通孔の中心に固定ヒーターが設けられ、その周りに前記駆動モーターの駆動歯車の両側にかみ合って駆動する一対の遊星歯車とかみ合って回転する内歯輪歯車が具備され、前記内歯輪歯車に前記回転リングが一体に組み付けられて前記巻き取り部材が前記固定ヒーターの周りを正逆回転するように構成することを特徴とする請求項４に記載のスパイラルヘアのスタイリング作業が容易な回転型毛髪成形装置。
【請求項６】
前記加熱部材に電源を供給するための電源線は、前記遊星歯車と直交する上・下方に形成される電線通過孔を通過して前記加熱部材及び補助加熱部材と連結されて電源を供給することを特徴とする請求項１または２に記載のスパイラルヘアのスタイリング作業が容易な回転型毛髪成形装置。
【請求項７】
前記上部ケースの髪押え部の外側先端に押圧突部が下向きに突出形成され、
前記上部ケースが回転して下部ケースと重なる時、前記押圧突部によって内側に移動して毛髪を前記加熱部材側に移動させるように前記加熱部材の外側端部に外向きに弾発するように設置される密着部材をさらに含むことを特徴とする請求項１に記載のスパイラルヘアのスタイリング作業が容易な回転型毛髪成形装置。
【請求項８】
前記密着部材は、
前記加熱部材の外側端部に設けられ、内部に弾性部材が収容される固定ボスを含み、
前記固定ボスに軸方向に移動可能に設けられる移動胴体の外周面に、前記押圧突部に対応して接触するように上向きに突出形成された可動片が形成されており、前記可動片の内側に円形の密着治具が形成されてなることを特徴とする請求項７に記載のスパイラルヘアのスタイリング作業が容易な回転型毛髪成形装置。
【請求項９】
前記密着部材は、
前記加熱部材の外側に位置し、下端部が前記下部ケースの内周面に横方向に組み付けられるヒンジ軸と、前記ヒンジ軸から上方に延びて前記押圧突部に接触して前記ヒンジ軸を中心に内側に回転しながら毛髪を前記加熱部材側に押しつける可動レバーと、前記ヒンジ軸を中心に前記可動レバーが外向きに弾発するように前記ヒンジ軸と可動レバーとの間に位置する弾性部材とを含んでなることを特徴とする請求項７に記載のスパイラルヘアのスタイリング作業が容易な回転型毛髪成形装置。
【請求項１０】
前記巻き取り部材が正逆回転作動した後、常に正位置に戻るように回転位置を検知する検知センサーと、前記検知センサーと連動するセンサー部材とをさらに含むことを特徴とする請求項１に記載のスパイラルヘアのスタイリング作業が容易な回転型毛髪成形装置。
【発明の詳細な説明】
【技術分野】
【０００１】
本発明は回転型毛髪成形装置に関し、より詳しくはクリップ式に開閉される上・下部ケースの一端に設けられる棒状の加熱部材を軸として駆動モーターに連結され、円周方向に正逆回転する巻き取り機によって毛髪の中間部を係止して一方向に回転させて加熱部材に巻き付けて加熱することにより、毛髪の熱損傷を最小化しながらスパイラル状の毛髪成形を簡易かつ迅速に行うことができるスパイラルヘアのスタイリング作業が容易な回転型毛髪成形装置に関する。
【背景技術】
【０００２】
一般的に洗髪後、自分が所望するスタイルの毛髪成形を行うためには、ドライヤーなどを用いて毛髪を乾かした後に成形するか、乾かしながらロ−ルブラシを用いて成形をしている。
【０００３】
しかし、ドライヤーやロ−ルブラシを用いる場合、煩わしくかつ多くの時間がかかるという問題点がある。
【０００４】
このような問題点を解決するための先行技術として、韓国公開実用新案公報第２０１１−０００８８３５号「回転装置付きスタイリングブラシ」は、『ヘアスタイリング装置１０は、相互作動可能に連結され、所定の長さの毛髪を収めるように、通常開放された位置と前記所定の長さの毛髪を固定するように、通常近接した位置との間で相対的な作動をするように適合化された第１及び第２部材１２、１４と、前記第１及び第２部材１２、１４に対して取り付けられたブラシ２２とを含む。前記ブラシ２２は、長手方向の軸に対して回転運動するように適合化され、第１及び第２部材１２、１４が近接した条件下で所定の長さの毛髪をブラッシングする。第１及び第２部材１２、１４の両者のうち少なくとも一つは所定の長さの毛髪をトリートメントできるように加熱要素５８を含むことができる』と開示している。
【０００５】
前記のような従来の先行技術は、ヘアスタイリング作業時、別途のドライヤーやロ−ルブラシがなくても濡れた毛髪を乾かしながらストレイトニング、カーリング、ブラッシングなどのスタイリング作業によって毛髪を乾かしながら内巻き、外巻き、ロ−ルストレートなどの多様なヘアスタイルを演出することができるという長所はあるが、スパイラル状の毛髪成形作業はできない構成となっていた。
【先行技術文献】
【特許文献】
【０００６】
【特許文献１】韓国公開実用新案公報第２０１１−０００８８３５号
【発明の概要】
【発明が解決しようとする課題】
【０００７】
本発明の目的は、毛髪の乾燥とスパイラル成形を同時に行うことができるスパイラルヘアのスタイリング作業が容易な回転型毛髪成形装置を提供することにある。
【０００８】
また、本発明はクリップ式に開閉される上・下部ケースを用いて毛髪を把持する動作によって正逆回転作動する巻き取り機が棒状の加熱部材を軸として毛髪の中間部を係止して一方向に回転させて加熱部材に巻き付けて加熱することにより、毛髪の熱損傷を最小化すると共に、スパイラル状の毛髪成形を簡易かつ迅速に行うことができるように構成されたスパイラルヘアのスタイリング作業が容易な回転型毛髪成形装置を提供することにある。
【課題を解決するための手段】
【０００９】
本発明の一実施形態によれば、長く形成されて一端に毛髪の上部に接触する髪押え部が形成されており、他端にはヒンジ部が形成されている上部ケースと、前記上部ケースのヒンジ部とヒンジ結合されて回動可能であり、一端に前記髪押え部と対応する位置に毛髪が収められる上方の開口している巻き取り空間部が形成されている下部ケースと、前記下部ケースの内周面の間に毛髪を巻き付けて加熱する加熱空間部を形成するように前記巻き取り空間部内に水平に位置するように取り付けられた棒状の加熱部材と、前記加熱部材と同一線上で前記下部ケースに内蔵されるように設けられる駆動モーターと、前記駆動モーターの駆動歯車に連結されて前記加熱部材を軸として前記加熱空間部で正逆方向に旋回し、前記上・下部ケースが閉じる動作によって前記巻き取り空間部と前記髪押え部との間に把持される毛髪の中間部から端部までスパイラル状に巻き付けて前記加熱部材の表面に密着させて加熱する巻き取り部材と、を含んでなる。
【００１０】
本発明の実施形態において、前記加熱部材の外周面との間隔を維持しながら前記下部ケースの巻き取り空間部に設けられ、前記巻き取り部材によって前記加熱部材にスパイラル状に巻き付けられる毛髪の外側面を加熱するように内側面が湾曲して形成された補助加熱部材をさらに含んでなる。
【００１１】
本発明の実施形態において、前記上部ケースの髪押え部の両側には、前記上・下部ケースが前記ヒンジ部を中心に回転して閉じた時に形成される毛髪通過溝をさらに含んでなる。
【００１２】
本発明の実施形態において、前記巻き取り部材は、前記駆動モーターの駆動歯車に連結されて正逆方向に回転する回転リングと、前記回転リングの周縁部から直角方向に延びて形成され、加熱部材の外面の一部を取り囲む幅を有し、内周面が湾曲するように形成された巻き取り機とを含んでなり、前記巻き取り機の両端部には、毛髪を集めてスパイラル状に巻き付けて回転させる凹溝部が形成されており、前記凹溝部の外側端部には、円周方向に沿って湾曲するように下向きに突出形成され、前記巻き取り空間部に収められた毛髪の中間部を係止して前記凹溝部側に集めてスパイラル状に巻いてコイル状に成形させる係止部を含んでなる。
【００１３】
本発明の実施形態において、前記巻き取り部材は、前記回転リングの中央に形成された貫通孔の中心に前記固定ヒーターが設けられ、その周りに前記駆動モーターの駆動歯車の両側にかみ合って駆動する一対の遊星歯車とかみ合って回転する内歯輪歯車が具備され、前記内歯輪歯車に前記回転リングが一体に組み付けられて前記巻き取り部材が前記固定ヒーターの周りを正逆回転するように構成される。
【００１４】
本発明の実施形態において、前記加熱部材に電源を供給するための電源線は、前記遊星歯車と直交する上・下方に形成される電線通過孔を通過して前記加熱部材及び補助加熱部材と連結されて電源を供給するように構成される。
【００１５】
本発明の実施形態において、前記上部ケースの髪押え部の外側先端に押圧突部が下向きに突出形成され、前記上部ケースが回転して下部ケースと重なる時、前記押圧突部によって内側に移動して毛髪を前記加熱部材側に移動させるように前記加熱部材の外側端部に外向きに弾発するように設置される密着部材をさらに含んでなる。
【００１６】
本発明の実施形態において、前記密着部材は、前記加熱部材の外側端部に設けられ、内部に弾性部材が収容される固定ボスを含み、前記固定ボスに軸方向に移動可能に設けられる移動胴体の外周面に、前記押圧突部に対応して接触するように上向きに突出形成された可動片が形成されており、前記可動片の内側に円形の密着治具が形成されてなることができる。
【００１７】
本発明の実施形態において、前記密着部材は、前記加熱部材の外側に位置し、下端部が前記下部ケースの内周面に横方向に組み付けられるヒンジ軸と、前記ヒンジ軸から上方に延びて前記押圧突部に接触して前記ヒンジ軸を中心に内側に回転しながら毛髪を前記加熱部材側に押しつける可動レバーと、前記ヒンジ軸を中心に前記可動レバーが外向きに弾発するように前記ヒンジ軸と可動レバーとの間に位置する弾性部材とを含んでなる。
【００１８】
本発明の実施形態において、前記巻き取り部材が正逆回転作動した後、常に正位置に戻るように回転位置を検知する検知センサーと、前記検知センサーと連動するセンサー部材とをさらに含んでなる。
【発明の効果】
【００１９】
本発明によるスパイラルヘアのスタイリング作業が容易な回転型毛髪成形装置は、駆動モーターによって加熱部材の周囲を正逆回転する巻き取り部材によってスパイラル状の毛髪成形を容易にすることができるという効果を期待することができる。
【００２０】
特に、加熱部材及び補助加熱部材によってスパイラル状の毛髪成形をする場合、巻き取り部材によって巻き付けられながら毛髪の内、外側を同時に加熱することで、熱損傷を最小化すると共に迅速かつ簡易にスパイラル状の毛髪成形作業が行われ、特にスパイラルヘアスタイルが長時間持続するという効果をも奏する。
【００２１】
なお、このような発明の効果は発明者の認知の有無を問わず、発明の構成によって当然発揮されるものであり、前述した効果は本発明による幾つかの効果に過ぎず、発明者が把握するか、または実在するすべての効果を記載したものとしてはならない。
【００２２】
また、本発明の効果は、明細書の全体的な記載によって追加的に把握されるべきであり、たとえ明示的な文章で記載されてないとしても、本発明の属する技術分野における通常の知識を有する者が本願明細書を通じてそのような効果があるものと認められる効果であれば、本願明細書に記載された効果とみなすべきである。
【図面の簡単な説明】
【００２３】
【図１】本発明の一実施形態による回転型毛髪成形装置の外観斜視図である。
【図２】図１の分解斜視図である。
【図３】本発明の一実施形態による回転型毛髪成形装置のスパイラルヘアスタイルの成形前の状態を示した要部拡大側断面図である。
【図４】本発明の一実施形態による回転型毛髪成形装置のスパイラルヘアスタイルの成形後の状態を示した要部拡大側断面図である。
【図５】本発明の一実施形態による回転型毛髪成形装置のスパイラルヘアスタイルの成形後の状態を示した平断面図である。
【図６】本発明の一実施形態による巻き取り部材の正逆回転作動構成を示した縦断面図である。
【図７】本発明の他の実施形態による回転型毛髪成形装置の外観斜視図である。
【図８】図７の分解斜視図である。
【図９】本発明の他の実施形態による回転型毛髪成形装置のスパイラルヘアスタイルの成形前の状態を示した要部拡大側断面図である。
【図１０】本発明の他の実施形態による回転型毛髪成形装置のスパイラルヘアスタイルの成形後の状態を示した要部拡大側断面図である。
【発明を実施するための形態】
【００２４】
次に、本発明の望ましい実施形態が添付された図面に基づき詳細に説明する。
これは本発明の属する技術分野における通常の知識を有する者が発明を容易に実施することができる程度に詳細に説明するためのものであり、これにより本発明の技術的な思想及び範疇が限定されるわけではない。
【００２５】
また図面に示されている構成部材の寸法や形状などは、説明の明瞭性および便宜上誇張して図示されることができ、本発明の構成及び作用を考慮して特別に定義された用語はユーザ、オペレータの意図又は慣例によって変わることができ、このような用語に対する定義は本願明細書の全般に亘る内容に基づいて下されなければならない。
【００２６】
図１は本発明の一実施形態による回転型毛髪成形装置の外観斜視図であり、図２は図１の分解斜視図であり、図３〜図５は本発明の一実施形態による回転型毛髪成形装置のスパイラルヘアスタイルの成形の前後の状態を示した要部拡大側断面図及び平断面図であり、図６は本発明の一実施形態による巻き取り部材の正逆回転作動構成を示した縦断面図であり、図７は本発明の他の実施形態による回転型毛髪成形装置の外観斜視図であり、図８は図７の分解斜視図であり、図９及び図１０は本発明の一実施形態による回転型毛髪成形装置のスパイラルヘアスタイル成形の前後の状態を示した要部拡大側断面図である。
【００２７】
以下、添付した図面を参照して本発明の望ましい実施形態によるスパイラルヘアのスタイリング作業が容易な回転型毛髪成形装置を説明する。
【００２８】
本発明は毛髪の乾燥とスパイラルヘアスタイルの成形を同時に行うように全体的な形態がクリップ型であることが分かる。
【００２９】
まず図１〜図６を参照してみれば、本発明の一実施形態によるスパイラルヘアのスタイリング作業が容易な回転型毛髪成形装置１００は、それぞれの一端部が回動可能にヒンジ部１３、２３で結合された一対の上部ケース１０と下部ケース２０とを含む。
【００３０】
ここで、後述する一端部は、ヒンジ部１２、２３と反対側を意味し、他端部はヒンジ部１３、２３側を意味するものである。
【００３１】
前記上部ケース１０は、長く形成され、一端に毛髪の上部に接触する髪押え部１１が形成されており、他端にはヒンジ部１３が形成されている構成であり、ヒンジ部１３と髪押え部１１との間には手で把持することができる取っ手部１２が形成されている。
【００３２】
前記髪押え部１１は、板状からなり、内周面は毛髪が収められて巻き付けられるように３次元の曲面を有するように湾曲して形成された構成である。
【００３３】
また、前記下部ケース２０は、前記上部ケース１０と同等の長さを有し、前記上部ケース１０の取っ手部１２と対応する取っ手部２２が形成されてなり、前記下部ケース２０の他端部は、ヒンジ部２３が形成されており、前記上部ケース１０のヒンジ部１３と組み付けられて回動可能に構成される。
【００３４】
そして、前記下部ケース２０一端部には、前記髪押え部１１と対応する位置に毛髪の収められる上方が開口している巻き取り空間部２１を形成している構成である。
【００３５】
前記下部ケース２０は、図示されているように、再び左側ケース２４と、右側ケース２５とで構成されて組み立てられることにより、内側に後述するヒーターＴと、巻き取り部材５０と、補助加熱部材３１とが収容され、毛髪が巻き付けられることができる巻き取り空間部２１を形成するように構成される。
【００３６】
前記構成において、前記上部ケース１０の髪押え部１１の両側には前記上・下部ケース２０が前記ヒンジ部１３、２３を中心に回転して閉じた時に毛髪を把持する毛髪通過溝１４が形成されてなる。
【００３７】
したがって、上・下部ケース１０、２０が重なり合って閉じた状態で、毛髪が毛髪通過溝１４を介して前記髪押え部１１、巻き取り空間部２１、及び後述する加熱部材３０上にきちんと載せられて収められることを案内する。
【００３８】
そして、下部ケース２０の開口している上端両側には、段差状の係止爪部２６が形成され、毛髪が前記加熱部材３０の先端部から内側に向けてスパイラル状に巻き付けられることを案内するように構成される。
【００３９】
また、前記下部ケース２０には加熱部材３０が設けられるが、該加熱部材３０は前記下部ケース２０の内周面の間において、毛髪を巻き付けて加熱するための加熱空間部を形成するように前記巻き取り空間部２１内に水平に位置するように取り付けられる。
【００４０】
このような加熱部材３０は、望ましくは毛髪をスパイラル状に巻き付けて加熱して成形された時に最も素敵なヘアスタイルを演出することに好適な直径（略２０ｍｍ〜３０ｍｍ）を有するように構成される。
【００４１】
このような前記加熱部材３０は、中空管からなり、その内部には図面上には具体的に図示していないが、ＰＴＣヒーターまたはセラミックスヒーターを取り付けて、このようなヒーターＴの熱を加熱部材３０の外面全体に均一に伝達させるアルミニウムや銅板材質からなる熱拡散部材を加熱部材３０の内周面に密着させて組立てるように構成される。
【００４２】
別の構成として、前記加熱部材３０の内周面にフィルムヒーターを密着するように組立てると共に、熱拡散部材が必要なしに加熱部材３０の外面全体に発熱ができるように構成することで、加熱部材３０を軽量化することができる。
【００４３】
参考に、前記ＰＴＣヒーターまたはセラミックスヒーターの温度制御は、加熱部材３０の内周面に温度センサーを取り付けて制御することができ、特にセラミックスヒーターの場合、加熱部材３０が毛髪を加熱成形する間に、温度変化に伴う抵抗値の変化、すなわち電流または電圧の変化を検知してデジタル回路を構成して温度制御を行うことができることは言うまでもない。
【００４４】
前記フィルムヒーターは、３００度以上耐熱性を有するポリイミドフィルムの間にヒーター抵抗体を印刷して成形したものであって、加熱部材３０の外面全体の均一な温度の発熱が可能であるという長所があり、本発明に適用する場合、より毛髪の損傷を最小化しながらスパイラル状の毛髪成形が行われるようにできる。
【００４５】
また、前記下部ケース２０の取っ手部２２内側には、前記加熱部材３０と同一線上に駆動モーターＭが設けられてなる。
【００４６】
前記駆動モーターＭは、ＤＣ用減速モーターを備えてなり、後述するように、上部ケース１０または下部ケース２０の取っ手部２２に内蔵されて加熱部材３０の温度及び駆動モーターＭの作動を制御する制御回路部４０と電路的に連結された制御部４２の操作によって正逆回転するように構成される。
【００４７】
そして、駆動モーターＭの電源供給は、制御回路部４０と連動されるＡＣ／ＤＣ電源安定化回路部４１を介して外部からＡＣ電源の供給を受けて前記加熱部材３０のヒーターＴにはＡＣ電源をそのまま供給するようにし、減速モーターにはＤＣ電源に変換された電源を供給するように構成される。
【００４８】
また、制御部４２は、加熱温度を設定する温度設定部と顔面を基準として側面の毛髪を左側または右側にスパイラル状に巻き付けてスタイリングを選択するための正逆回動設定部で構成される。
【００４９】
そして、前記加熱部材３０に毛髪がスパイラル状に巻き付けられながら加熱される作動とともに、前記駆動モーターＭの回転時間を８秒、１０秒、１２秒などのように設定する加温時間設定部を構成して、スパイラル状にスタイリングされた毛髪の形態が強、中、弱モードに設定可能に構成される。
【００５０】
このように、ユーザは設定された加熱時間の間、上・下部取っ手を閉めた状態で待機し、設定時間が終わると終了時点を信号音で報知するための音声出力部をさらに含んでなることが望ましい。
【００５１】
前記制御部４２の操作キー４３は、下部ケース２０の右側ケースの側面に設けられ、右手を主に使うユーザが片手で取っ手部１２、２２を取って操作しやすいように設けられることが望ましい。
【００５２】
一方、本発明の実施形態において前記加熱部材３０に巻き付けられる毛髪の外側面を同時に加熱させて迅速なスパイラル状のスタイリングを完成させるための補助加熱部材３１をさらに含んでなる。
【００５３】
前記補助加熱部材３１は、前記加熱部材３０の外周面との間隔３２を維持しつつ前記下部ケース２０の巻き取り空間部２１に設けられる。
前記補助加熱部材３１は、前記巻き取り部材５０によって前記加熱部材３０にスパイラル状に巻き付けられる毛髪の外側面を加熱するように内側面が湾曲して形成されており、前記補助加熱部材３１の裏面には、その中央に前記したＰＴＣヒーター、セラミックスヒーターが取り付けられることができ、フィルムヒーターの場合、補助加熱部材３１の裏面全体に密着するように取り付けることで、補助加熱部材３１の内周面全体に熱が均一に発熱するように取り付けた方が望ましい。
【００５４】
より好ましくは、前記補助加熱部材３１と前記加熱部材３０との間隔３２は、前記加熱部材３０の外面に毛髪が最大で巻き付けられる厚さに鑑み、間隔３２が維持されるように組み立てられるのが望ましい。
【００５５】
また、本発明は加熱部材３０を中心軸として回転しながら毛髪を巻き付けてくれる巻き取り部材５０をさらに含んでなる。
【００５６】
すなわち、前記巻き取り部材５０は、前記加熱部材３０と前記補助加熱部材３１との間隔３２の間で回転するように構成され、このために前記巻き取り部材５０は８０℃〜２５０℃程度まで発熱する空間を通過しなければならないので、前記巻き取り部材５０は耐熱性の合成樹脂からなる。
【００５７】
さらに、後述するように、前記巻き取り部材５０の巻き取り機５１の外側面は、前記補助加熱部材３１とほとんど触れるほどに隣接した状態を維持して回転するように組み付けられる。
【００５８】
また、前記巻き取り部材５０は、前記加熱部材３０を軸として前記加熱空間部において、正逆方向に旋回されるように前記駆動モーターＭの駆動歯車Ｍ１に一端部が連結される。
【００５９】
これによって前記上・下部ケース１０、２０が閉じる動作によって前記巻き取り空間部２１と前記髪押え部１１との間に把持される毛髪の中間部から端部までスパイラル状に巻き付けて前記加熱部材３０の表面に密着させた状態で加熱する。
【００６０】
このような機能を遂行する前記巻き取り部材５０は、本発明の実施形態によれば、前記駆動モーターＭの駆動歯車Ｍ１に連結されて正逆方向に回転する回転リング５２と、前記回転リング５２の周縁部から直角方向に延設されて加熱部材３０の外面の一部を取り囲む所定幅を有する板状からなり、内周面が加熱部材３０の外周面の曲率よりも大きな曲率を有するように内側に湾曲して形成された構成である。
【００６１】
したがって、前記巻き取り機５１は、駆動モーターＭの正逆回転によって加熱部材３０を軸として回転されながら毛髪を加熱部材３０の先端部から内側端部側へスパイラル状に巻き付けることができることである。
【００６２】
そして、本発明の実施形態では、前記巻き取り機５１の両端の周縁部に毛髪を取り集めてスパイラル状に巻き付けて回転させる凹溝部５３がさらに形成され、前記凹溝部５３の外側端部には円周方向に沿って湾曲するように下向きに突出形成され、前記巻き取り空間部２１に収められた毛髪の中間部を係止して前記凹溝部５３の側へ取り集めてスパイラル状に巻き付けてコイル状に成形させる係止部５４を含んでなり、前記係止部５４は前記加熱部材３０の外側先端部に位置するように組み付けられることが望ましい。
【００６３】
そして、前記係止部５４から凹溝部５３は、直角状に形成できるが、本実施形態では係止部５４の端部から凹溝部５３との間に傾斜案内部５５がさらに形成される。
【００６４】
このような構成によれば、毛髪を巻き取り空間部２１に位置づけて前記加熱部材３０上に載置された状態で、巻き取り機５１が回転すると、係止部５４が毛髪を係止して回転するが、この時、毛髪は傾斜案内部５５によって前記凹溝部５３側に移動しながら前記加熱部材３０外周面に巻き付けられる。
【００６５】
そして、巻き取り機５１によって連続的に巻き付けられる毛髪は、傾斜案内部５５によって前記加熱部材３０の内側端部側へ案内しながら、引き続いて巻き付けられる毛髪が加熱部材３０外周面にスパイラル状に巻かれる。
【００６６】
このような過程は、毛髪の長さに応じて異なるが、大抵、普通の長さ２００ｍｍ〜３００ｍｍの毛髪を基準としたとき、前記巻き取り機５１が４〜５回しか回転されなくても毛髪は既に中間から最後まで瞬間的に巻き付けられるようになる。
【００６７】
その後、前記加熱部材３０に巻かれた毛髪は、巻き取り機５１と加熱部材３０との間で巻き取り機５１が回転しながら設定された８秒〜１２秒の時間の間、加熱作用によって乾燥及びスタイリングされることである。
【００６８】
この際、毛髪の内側面は加熱部材３０によってカールされながらスパイラル状に成形が行われ、毛髪の外側面は、巻かれた毛髪量が多い場合、前記補助加熱部材３１と直接接触して毛髪の外側面が加熱される。
【００６９】
また、毛髪量が少なくて直接接触しない場合には、補助加熱部材３１の輻射熱によって加熱され、迅速な乾燥が行われるとともにスパイラルヘアスタイルを完成するようになる。
【００７０】
この時、巻き取り機５１は、毛髪を巻いてくれると同時に、加熱部材３０に既に巻かれた毛髪の周りに回転する動作が設定された作動時間の間、持続的に行われるようになる。
【００７１】
すなわち、前記巻き取り機５１の内周面は、加熱部材３０に既に巻き付けた毛髪の外周面と接触しながら設定時間の間、持続的に回転しながら摩擦によるブラッシングが行われるようになる。
【００７２】
更に、前記巻き取り機５１は、補助加熱部材３１の輻射熱によって略７０℃〜９０℃程度の熱が蓄熱されている状態である。
【００７３】
したがって、巻き取り機５１が毛髪の外面と摺動して回転することによって毛髪はより速かに乾燥及びスパイラル状に成形されることができる。
【００７４】
このように巻き取り部材５０の巻き取り機５１は、毛髪と直接接触しながら回転するものであるから、巻き取り機５１を耐熱性合成樹脂で構成する場合、毛髪に良い影響を提供する遠赤外線放出物質、例えば、トルマルリン陰イオン粉末またはセラミックスなどの成分を射出時に混合して成形することが望ましい。
【００７５】
また、巻き取り機５１を熱伝導率に優れたアルミニウムのような金属材質で構成する場合は、その表面に遠赤外線及び陰イオンが放出されるようにセラミックスコーティング層を形成したり、軽質または軟質のアノダイジングを施したりして構成することができる。
【００７６】
この場合、巻き取り部材５０の巻き取り機５１と回転リング５２とは同一の材質で構成することができ、必要によって金属材質と合成樹脂材質とに互いに分離してインサート成形するか、別途組立てて一体構成してもよい。
【００７７】
また、前記巻き取り部材５０は、前記回転リング５２の中央に形成された貫通孔５２ａの中心に前記加熱部材が設置され、その周りに前記駆動モーターＭの駆動歯車Ｍ１の両側にかみあって駆動する一対の遊星歯車５７とかみあって回転する内歯輪歯車５６が具備され、前記内歯輪歯車５６に前記回転リング５２が一体に組み付けられ、前記巻き取り部材５０が前記固定ヒーターの周りを正逆回転するように構成される。
【００７８】
このために、駆動モーターＭの先端には前記左側ケース２４および右側ケース２５に組み付けられる固定筐体５８が具備され、該固定筐体５８に前記遊星歯車５７が前記駆動歯車Ｍ１を中心に対称に位置づけられながら前記固定筐体５８に回転可能に組み付けられる。
【００７９】
これによって前記遊星歯車５７は、内側端部が駆動歯車Ｍ１とかみあっている状態となり、外側端部は固定筐体５８の外側に露出するように組み付けられることで、内歯輪歯車５６の内周面に形成された歯車とかみあうように組み付けられる。
【００８０】
前記内歯輪歯車５６は、前記遊星歯車５７の外側に組み付けられて固定筐体５８とねじ締結される固定リング５９によって回転可能に組み付けられる。
【００８１】
そして、前記加熱部材３０は、前記固定筐体５８の中央に回転できないように固定設置されることで、前記固定リング５９の中央を貫通して内歯輪歯車５６の前面部とねじ締結される前記巻き取り部材５０が、加熱部材３０を軸として固定筐体５８の前方で回転するようになり、前記巻き取り部材５０の回転リング５２は内歯輪歯車５６と一緒に前記加熱部材３０を周りを回転しながら毛髪をスパイラル状に巻きつけることができる。
【００８２】
この際、本発明の実施形態において前記制御回路部４０から供給されるＡＣ電源を前記加熱部材３０に電源供給するための電源線は、前記遊星歯車５７と直交する上・下方に形成される電線通過孔を通過して前記加熱部材３０及び補助加熱部材３１と連結されて電源を供給するように構成される。
【００８３】
また、上部ケース１０の底面には押圧突起１６がさらに形成され、前記押圧突起１６に対応する位置の前記下部ケース２０には、押圧突起１６によって作動して制御されるスイッチ部材１７がさらに具備される。
【００８４】
したがって、上部ケース１０および下部ケース２０が閉じると、押圧突起１６がスイッチ部材１７を押圧することで、スイッチ部材１７は制御回路部４０に信号を送出して駆動モーターＭを動作させるように構成されたものである。
【００８５】
このような構成によれば、電源をオンすれば、温度制御部によって加熱部材３０には設定された温度分だけ発熱する状態で、一定量の毛髪を巻き取り空間部２１に位置づけて上部ケース１０および下部ケース２０を閉めたら、直ちに駆動モーターＭが作動して巻き取り機５１が回転するようになり、成形が完了するという音を聞いてから上部ケース１０および下部ケース２０を開けると、押圧突起１６とスイッチ部材１７とが分離されながら駆動モーターＭの作動が停止するようになる構成である。
【００８６】
ここで、本発明の実施形態によれば前記巻き取り部材５０が、正逆回転作動した後、常に正位置に戻るように回転位置を検知する検知センサー４４と、前記検知センサー４４と連動するセンサー部材４５とをさらに含むように構成してもよい。
【００８７】
すなわち、前記したように、動作において前記押圧突起１６とスイッチ部材１７とが分離されて駆動モーターＭが直ちに停止すれば巻き取り機５１の位置によって次に作業する毛髪を巻き付けるときに誤動作を起こすおそれがあるため、巻き取り機５１を常に元の位置、例えば加熱部材３０の下部に正しく位置するように構成されることが望ましい。
【００８８】
したがって、前記検知センサー４４およびセンサー部材４５によって駆動モーターＭが直ちに停止せずに正位置までさらに回転した後に検知センサー４４およびセンサー部材４５によって正位置が検知される瞬間、前記駆動モーターＭの動作を止めるように構成したものである。
【００８９】
例えば、前記センサー部材４５は、駆動モーターＭと共に回転する構成部材であって、前記回転リング５２の周縁部が円形状にさらに拡張され、センサー孔（センサー部材の符号である４５を混用する）を形成して構成してもよい。
【００９０】
このようなセンサー孔４５は、孔状でも外側に開放された凹溝状でもよい。
そして、前記検知センサー４４として、前記センサー孔４５に対応する位置にフォトカプラ（検知センサーの符号である４４を混用する）を設置することで、前記巻き取り機５１の正位置を検知する瞬間、駆動モーターＭの作動を止めることができる。
【００９１】
一方、本発明は巻き取り空間部２１に収められる一定量の毛髪が外側に離脱しないながらも前記加熱部材３０側へ押し付けるとともに巻き取り機５１によってスパイラル状に巻き付けるための密着部材６０、１６０をさらに含んでなる。
【００９２】
すなわち、前記上部ケース１０の髪押え部１１の外側先端に、押圧突部１５が下向きに突出形成される。
【００９３】
前記押圧突部１５は、先端部が下側に下向き突出して円錐状をなしながら内側上方に湾曲または傾斜するように形成される構成であって、前記上部ケース１０が回転して下部ケース２０と重なる時、前記押圧突部１５によって密着部材６０、１６０が内側に移動しながら毛髪を前記加熱部材３０側に移動させるように前記加熱部材３０の外側端部に外向きに弾発するように設置されている。
【００９４】
このような機能をする本発明による前記密着部材６０は、一実施形態として、前記加熱部材３０の外側端部に設置され、内部に弾性部材７０が収容される固定ボス６１を含み、前記固定ボス６１に軸方向に移動可能に設けられる移動胴体６２の外周面に前記押圧突部１５に対応して接触するように上方に突出形成された可動片６３が設けられ、前記可動片６３の内側に円形状の密着治具６４が形成されてなる。
【００９５】
このような構成によれば、押圧突部１５が可動片６３の上端部と接触しながらその内側の傾斜案内部５５によって図３及び図４に示したように、移動胴体６２がコイルばねからなる弾性部材７０の力を抗して前記加熱部材３０側へ移動する。
【００９６】
したがって、密着治具６４の一側で開かれた状態で収められて加熱部材３０上に載置されている毛髪は、加熱部材３０上方に集められ、この時、上部ケース１０および下部ケース２０は互いに閉じる動作状態である。
【００９７】
そして、毛髪は前記上部ケース１０の毛髪通過溝１４を介してきちんと整列された状態となる。
【００９８】
また、前記密着部材１６０の他の実施形態として、図７〜図１０に示されているように、前記加熱部材３０の外側に位置づけられ、下端部が前記下部ケース２０の内周面に横方向に組み付けられるヒンジ軸１６１と、前記ヒンジ軸１６１から上方に延びて前記押圧突部１５に接触して前記ヒンジ軸１６１を中心に内側に回転しながら前記毛髪を前記加熱部材３０側に押し付ける可動レバー１６２と、前記ヒンジ軸１６１を中心に前記可動レバー１６２が外向きに弾発するように前記ヒンジ軸１６１と可動レバー１６２との間に位置する弾性部材７０とを含んでなることができる。
【００９９】
このような構成によれば、図９及び図１０に示したように、前記押圧突部１５が前記可動レバー１６２の上端部と接触しつつその内側の傾斜面によってヒンジ軸１６１を中心にコイルばねならなる弾力部材の力を抗して前記加熱部材３０側へ回動される。
【０１００】
したがって、可動レバー１６２の一側で開かれた状態で収められて加熱部材３０の上に載置されている毛髪は、加熱部材３０側へ次第に集められるようになり、この時上部ケース１０および下部ケース２０は互いに閉じた状態である。また、毛髪は前記上部ケース１０の毛髪通過溝１４を介してきちんと整列された状態になるように構成されている。
【０１０１】
このように構成された本発明の成形作業過程を説明すれば次の通りである。
施術者は適量の毛髪をすくい取って片手で取った状態で他の手で回転型毛髪成形装置１００の先端部が開かれている側に入れて、上・下部ケース１０、２０の間の巻き取り空間部２１上に毛髪を位置させる。
【０１０２】
この状態で、上・下部ケース１０、２０を閉めると、押圧突部１５が密着部材６０、１６０を加熱部材３０側へ押しつけることで、毛髪は上・下部ケース１０、２０の髪押え部１１によって下部ケース２０の巻き取り空間部２１上で把持され、毛髪の下端部は係止爪部２６によって係止される状態で毛髪通過溝１４を介してきちんと整列される状態になる。
【０１０３】
そして、これと同時に上部ケース１０の押圧突起１６は、スイッチ部材１７と接触することにより、上・下部ケース１０、２０が閉じた状態を検知した信号を制御回路部４０に伝達する。
【０１０４】
したがって、制御回路部４０は、駆動モーターＭを回転させるが、この時、駆動モーターＭの駆動歯車Ｍ１の回転方向は、制御部４２の正逆回転方向をユーザが毛髪をスパイラル状に成形する方向に合わせて設定した方向に回転するようになる。
【０１０５】
これによって駆動歯車Ｍ１とかみ合って回転する遊星歯車５７が反対に回転するようになるので、内歯輪歯車５６が一方向に回転してしまい、その結果回転リング５２及び巻き取り機５１が一緒に回転する。
【０１０６】
そして、加熱部材３０および補助加熱部材３１は別途の温度操作がなければ制御部４２の選択された設定温度を維持しながら加熱されている状態である。
【０１０７】
次いで、きちんと整列されて把持された状態の毛髪はその中間部分が回転している巻き取り機５１の係止部５４に係止されながら傾斜部に沿って凹溝部５３側に導かれて引っ張られながら、回転し続けられる巻き取り機５１によって加熱部材３０の外周面に巻かれるようになる。
【０１０８】
この時、係止部５４は、毛髪全体の長さの中間部を係止して加熱部材３０に巻きつけるためのものなので、毛髪の下端部側は自然に巻き取り機５１の回転によって引っ張られて加熱部材３０にスパイラル状に巻き付けられるようになる。
【０１０９】
スパイラル状に巻かれた毛髪は、その内側面が加熱部材３０で発生した熱によって乾燥と共に成形が行われるようになり、これと同時に補助加熱部材３１で発生した熱によって毛髪の外側面も一緒に加熱されることで、迅速な乾燥および成形が行われる。
【０１１０】
そして、乾燥及び成形されるうちにも巻き取り機５１は設定された時間、例えば前述のように設定済みの時間（８秒、１０秒、１２秒）の間回転し続けられる状態なので、スパイラル状に巻かれた方向に巻き取り機５１が回転しながらその内周面が毛髪の毛の方向どおり外側面と接触しながら回転し、艶のある髪型を成形するようになる。
【０１１１】
特に、巻き取り機５１の内側面にトルマルリンやセラミックスコーティングがなされるため、表面照度が良好な場合、毛髪表面は最大のつやを現わすようになる。
【０１１２】
この状態で設定された加熱信号が終わると、信号音が発生するようになるから、ユーザは信号音を聞いて上・下ケースを開ける。
【０１１３】
この時、上・下部ケース１０、２０が開けられながら押圧突起１６がスイッチ部材１７と分離されながら発生するオフ信号は駆動モーターＭに伝達される。
【０１１４】
ここで、本発明によれば巻き取り機５１が常時正位置で止められるが、フォトカプラおよび回転リング５２に形成されたセンサー孔４５によってその位置を確認するまで駆動モーターＭは作動中の状態である。
【０１１５】
したがって、巻き取り機５１は上・下ケースが開放された状態でもさらに回転している中、センサー孔４５によってフォトカプラ４４の検知信号によって常に正位置に停止するようになる。
【０１１６】
これと同時にユーザが毛髪の中間部を取って回転型毛髪成形装置１００を引っ張ると、加熱部材３０にスパイラル状に巻きつけられていた毛髪は加熱部材３０から解放されながら下に垂れるようになる。
【０１１７】
この時、スパイラル状に成形された毛髪は、コイルばねのように上、下方向に伸びながらも弾力的な状態で垂れることにより、美しくかつロックショリしたスパイラルヘアスタイルを演出することができる。
【０１１８】
このように本発明によれば、前記巻き取り機５１が毛髪と接触して回転しながら毛先の方向へブラッシングするのに似た摩擦作用が行われることにより、毛髪の迅速な乾燥と成形が行われ、損傷を最小化しながら表面につやと光沢が出るとともにスパイラル状の成形がなされるようになる。
【０１１９】
さらに、成形が完了したスパイラルヘアスタイルは、垂らしてみたら、弾力が良好であるため卓越なボリューム感で成形され、スパイラルヘアスタイルの成形後にも長く持続力が維持され、容易にカールが伸びない効果が奏されるという有用な長所を提供することができる。
【０１２０】
以上説明したことは本発明による回転型毛髪成形装置を実施するための一部の実施形態に過ぎないものであって、本発明は前記した実施形態に限定されないで、以下の特許請求の範囲で請求するように、本発明の要旨を逸脱することなく発明の属する分野における通常の知識を有する者なら誰でも多様な変更及び実施が可能な範囲まで本発明の技術的思想に属すると言える。
【符号の説明】
【０１２１】
１０  上部ケース
１１  髪押え部
１２、２２  取っ手部
１３、２３  ヒンジ部
１４  毛髪通過溝
１５  押圧突部
１６  押圧突起
１７  スイッチ部材
２０  下部ケース
２１  巻き取り空間部
２４、２５  左、右側ケース
２６  係止爪部
３０  加熱部材
３１  補助加熱部材
３２  間隔
４０  制御回路部
４１  ＡＣ／ＤＣ電源安定化回路部
４２  制御部
４３  操作キー
４４  検知センサー（フォトカプラ）
４５  センサー部材（センサー孔）
５０  巻き取り部材
５１  巻き取り機
５２  回転リング
５２ａ  貫通孔
５３  凹溝部
５４  係止部
５５  傾斜案内部
５６  内歯輪歯車
５７  遊星歯車
５８  固定筐体
５９  固定リング
６０  密着部材
６１  固定ボス
６２  移動胴体
６３  可動片
６４  密着治具
７０  弾性部材
１００  回転型毛髪成形装置
１６０  密着部材
１６１  ヒンジ軸
１６２  可動レバー
Ｍ  駆動モーター
Ｍ１  駆動歯車
Ｔ  ヒーター
【図１】
2015085168.tif 000003
【図２】
2015085168.tif 000004
【図３】
2015085168.tif 000005
【図４】
2015085168.tif 000006
【図５】
2015085168.tif 000007
【図６】
2015085168.tif 000008
【図７】
2015085168.tif 000009
【図８】
2015085168.tif 000010
【図９】
2015085168.tif 000011
【図１０】
2015085168.tif 000012